(57)【特許請求の範囲】
【請求項１】
吸込口と吹出口を備えた本体ケースと、
前記本体ケース内に設けた空気清浄手段と加湿手段と、
前記吸込口から吸い込まれた空気を、送風路により、前記空気清浄手段、前記加湿手段を介して吹出口から吹き出す送風手段とからなり、
前記加湿手段は、
水を貯水する椀形状の貯水容器部と、
前記貯水容器部内の貯水した水に下部が浸漬すると共に、前記貯水容器部の底面と少なくとも一部が接触する加湿体部と、
前記加湿体部を保持し、前記貯水容器部に着脱自在な保持体とからなり、
前記貯水容器部内の水を貯水しない状態で運転すると浄化した空気を吹き出す空気清浄運転となり、前記貯水容器部内に水を貯水した状態で運転すると、前記加湿体部が前記貯水容器部内の水を吸い上げ、常に浄化および加湿した空気を吹き出す加湿空気清浄運転となり、
前記加湿体部は、
前記貯水容器部内の水に浸漬する加湿体下部分と、
水面より上方の加湿体上部分とからなり、
前記加湿手段における送風路は、前記本体ケースにおける前面側から背面側へ延び、前記本体ケースの左右方向における前記加湿体下部分の少なくとも一部の端部と前記貯水容器部との間には、隙間を有するように前記保持体を前記貯水容器部に固定されることを特徴とする加湿機能付空気清浄装置。
【請求項２】
前記貯水容器部の底面全体は、前記送風路の一部を構成することを特徴とする請求項１に記載の加湿機能付空気清浄装置。
【請求項３】
前記加湿体下部分の少なくとも一部の端部と前記貯水容器部との間の隙間は、前記加湿体上部分の端部と前記送風路の内面との間の隙間より大きいことを特徴とする請求項１または２のいずれかに記載の加湿機能付空気清浄装置。
【請求項４】
前記保持体は、
前記加湿体部を保持する保持部と、
前記貯水容器部の開口にはまるカーバー部とを有し、
前記保持部は、
前記加湿体部の上方に設けた上面枠部分と、
前記上面枠部分の下面から下方へ延びた２つの支持棒部分とを備え、
前記加湿体部は、中心軸方向が上下方向である筒形状で、前記支持棒部分の外方に水平方向へ広げながら装着され、前記支持棒部分の上下方向の寸法は、前記加湿体部の上下方向の寸法より小さいことを特徴とする請求項３に記載の加湿機能付空気清浄装置。
【発明の詳細な説明】
【技術分野】
【０００１】
本発明は、空気を浄化しながら、貯水槽の水に一部を浸漬し静止した加湿体に通風して加湿することができる加湿機能付空気清浄装置に関する。
【背景技術】
【０００２】
従来、この種の加湿機能付空気清浄装置は、吸込口と吹出口を備えた本体ケースと、本体ケース内に設けた空気清浄手段と、加湿手段と、送風手段とを備えていた。送風手段によって、吸込口から吸い込まれた空気は、空気清浄手段を介して吹出口へ送風する空気清浄送風と、送風手段によって、吸込口から吸い込まれた空気は、加湿手段を介して吹出口へ送風する加湿送風とを有していた。加湿手段は、水を貯水する椀形状の貯水容器部と、この貯水容器部内に水を供給する水タンクと、貯水容器部内の水に一部が浸漬する加湿体部とから構成していた。
【０００３】
加湿空気清浄運転時には、空気清浄送風と加湿送風とを同時に動作し、空気清浄運転時には、空気清浄送風のみを運転させるものであった。
（例えば、特許文献１参照）。
【先行技術文献】
【特許文献】
【０００４】
【特許文献１】特開２００５−６１６５５号公報
【発明の概要】
【発明が解決しようとする課題】
【０００５】
上記従来例における課題は、長期間の空気清浄運転後の加湿空気清浄運転時において、僅かながらの生乾き臭が発生するということであった。
【０００６】
従来の加湿機能付空気清浄装置は、加湿空気清浄運転と空気清浄運転とを切り替えることができ、水容器部内に水を貯水した状態で空気清浄運転できるので、貯水容器部、加湿体部のメンテナンスを忘れる場合があった。
【０００７】
すなわち、水容器部内に水を貯水した状態で長期間空気清浄運転を行うと、水容器部内に水に、微生物の増殖が認められることがあった。極端に長時間放置し続ければ、微生物の増殖に伴って臭気が発生する可能性が考えられた。
【０００８】
そこで、本発明は、この臭気の発生を抑制することを目的とするものである。
【課題を解決するための手段】
【０００９】
そして、この目的を達成するために、本発明の加湿機能付空気清浄装置は、吸込口と吹出口を備えた本体ケースと、前記本体ケース内に設けた空気清浄手段と加湿手段と、前記吸込口から吸い込まれた空気を、送風路により、前記空気清浄手段、前記加湿手段を介して吹出口から吹き出す送風手段とからなり、前記加湿手段は、水を貯水する椀形状の貯水容器部と、前記貯水容器部内の貯水した水に下部が浸漬すると共に、前記貯水容器部の底面と少なくとも一部が接触する加湿体部と、前記加湿体部を保持し、前記貯水容器部に着脱自在な保持体とからなり、前記貯水容器部内の水を貯水しない状態で運転すると浄化した空気を吹き出す空気清浄運転となり、前記貯水容器部内に水を貯水した状態で運転すると、前記加湿体部が前記貯水容器部内の水を吸い上げ、常に浄化および加湿した空気を吹き出す加湿空気清浄運転となり、前記加湿体部は、前記貯水容器部内の水に浸漬する加湿体下部分と、水面より上方の加湿体上部分とからなり、前記加湿手段における送風路は、前記本体ケースにおける前面側から背面側へ延び、前記本体ケースの左右方向における前記加湿体下部分の少なくとも一部の端部と前記貯水容器部との間には、隙間を有するように前記保持体を前記貯水容器部に固定されるものであり、これにより所期の目的を達成するものである。
【発明の効果】
【００１０】
本発明によれば、吸込口と吹出口を備えた本体ケースと、前記本体ケース内に設けた空気清浄手段と加湿手段と、前記吸込口から吸い込まれた空気を、送風路により、前記空気清浄手段、前記加湿手段を介して吹出口から吹き出す送風手段とからなり、前記加湿手段は、水を貯水する椀形状の貯水容器部と、前記貯水容器部内の貯水した水に下部が浸漬すると共に、前記貯水容器部の底面と少なくとも一部が接触する加湿体部と、前記加湿体部を保持し、前記貯水容器部に着脱自在な保持体とからなり、前記貯水容器部内の水を貯水しない状態で運転すると浄化した空気を吹き出す空気清浄運転となり、前記貯水容器部内に水を貯水した状態で運転すると、前記加湿体部が前記貯水容器部内の水を吸い上げ、常に浄化および加湿した空気を吹き出す加湿空気清浄運転となり、前記加湿体部は、前記貯水容器部内の水に浸漬する加湿体下部分と、水面より上方の加湿体上部分とからなり、前記加湿手段における送風路は、前記本体ケースにおける前面側から背面側へ延び、前記本体ケースの左右方向における前記加湿体下部分の少なくとも一部の端部と前記貯水容器部との間には、隙間を有するように前記保持体を前記貯水容器部に固定されることを特徴とし、加湿体部からの臭気の発生を抑制することを目的とするものである。
【００１１】
すなわち、空気清浄運転時には、貯水容器部内の水を貯水しない状態で運転するので、長期間空気清浄運転を行っても、加湿体部からの臭気の発生を抑制し、加湿空気清浄運転での加湿量を低下させずに、空気清浄運転時の風量を増加させることができる。
【図面の簡単な説明】
【００１２】
【図１】本発明の実施の形態１の加湿機能付空気清浄装置を示す斜視図
【図２】同加湿機能付空気清浄装置の断面図
【図３】同加湿機能付空気清浄装置の加湿手段の断面図
【図４】同加湿機能付空気清浄装置の加湿手段の斜視図
【図５】同加湿機能付空気清浄装置の加湿手段の分解斜視図
【図６】同加湿機能付空気清浄装置の加湿手段の分解斜視図
【図７】同加湿機能付空気清浄装置の加湿手段の保持体の斜視図
【発明を実施するための形態】
【００１３】
以下、本発明の実施の形態について、図１〜図６を参照しながら説明する。
【００１４】
（実施の形態１）
図１は、本発明の実施の形態１の加湿機能付空気清浄装置を示す斜視図である。図１に示すように、加湿機能付空気清浄装置は、吸込口１と吹出口２を備えた略箱形状の本体ケース３と、この本体ケース３内に、加湿手段４と、後術する送風手段５と、空気清浄手段６とを備えている。
【００１５】
本体ケース３における前面側の周縁部付近には、環状の吸込口１が設けられている。本体ケース３の天面における背面側には、吹出口２が備えられている。
【００１６】
本体ケース３の下部には、着脱自在に加湿手段４が設けられている。加湿手段４は、水を貯水する椀形状の貯水容器部７と、この貯水容器部７内の水に一部が浸漬する加湿体部８と、加湿体部８を保持し、貯水容器部７に着脱自在な保持体９とから構成している。すなわち、本体ケース３の一方側側面（右側）下部の開口である加湿手段装着部１０から、貯水容器部７を水平方向へ引き出すと、図１の状態となる。
【００１７】
図２は、本発明の実施の形態１の加湿機能付空気清浄装置の断面図である。図２は、本体ケース３における右側から見た断面図である。
【００１８】
吸込口１と吹出口２と連通する送風路１１が設けられている。この送風路１１には、空気清浄手段６、加湿手段４、送風手段５が順次設けられている。
【００１９】
空気清浄手段６は、１例として、本体ケース３における前方から見ると、縦長の四角形状である集塵ファイルターである。
【００２０】
送風手段５は、加湿手段４の上方に設けられている。送風手段５は、スクロール形状のケーシング部１２と、このケーシング部１２に固定されたモータ部１３と、このモータ部１３によって回転する羽根部１４とから構成している。ケーシング部１２は、本体ケース３における天面側には、吐出口１５を備え、本体ケース３における背面側には、吸気口１６を備えている。吸気口１６は、本体ケース３の左右方向におけるほぼ中央に設けられている。
【００２１】
続いて、空気の流れについて説明する。送風手段５によって、本体ケース３の吸込口１から吸い込まれた空気は、まず、空気清浄手段６へ流れる。ここで、空気中の埃等が捕集される。この空気清浄手段６に流れた空気は、主に空気清浄手段６の背面側の風路である第１の風路１７を介して下方へ流れ、加湿手段４の本体ケース３における前面側上部より、加湿手段４へ流れ込む。加湿手段４へは、前面側上部より斜め下方へ流れ込む。この加湿手段４へ流れ込んだ空気は、加湿体部８を通過する。ここで加湿される。この加湿された空気は、加湿手段４の本体ケース３における背面側上部より、上方の第２の風路１８へ流れ込む。この第２の風路１８は、加湿手段４と送風手段５とを連通する風路で、送風手段５の本体ケース３における背面側に上下方向に延びている。第２の風路１８へ流れ込んだ空気は、送風手段５の吸気口１６から送風手段５へ入り、送風手段５の吐出口１５を介して吹出口２から上方へ吹き出す。
【００２２】
以上の構成により、貯水容器部７内に水を貯水した状態で、送風手段５を運転すると、空気清浄および加湿された空気が吹出口２から吹き出す加湿空気清浄運転となる。一方、貯水容器部７内の水を貯水しない状態で、送風手段５を運転すると、空気清浄のみされた空気が吹出口２から吹き出す空気清浄運転となる。
【００２３】
すなわち、空気清浄運転時には、貯水容器部７内の水を貯水しない状態で運転するので、長期間空気清浄運転を行っても、加湿体部からの臭気の発生を抑制することができる。
【００２４】
続いて、加湿空気清浄運転中に、空気清浄運転に変更する手順について説明する。加湿空気清浄運転中に、空気清浄運転に変更する場合には、まず、使用者は、運転を停止し、本体ケース３から加湿手段４を取り外し、加湿手段４を洗面所等へ運ぶ。次に、貯水容器部７から、加湿体部８を保持している保持体９を外し、貯水容器部７内の水を排水する。ここで、保持体９から加湿体部８を外し、加湿体部８を水道水で洗浄しても良い。最後に、加湿体部８を保持体９に装着し、この保持体９を貯水容器部７に取り付ける。この取り付けられた貯水容器部７、つまり加湿手段４を本体ケース３へ装着し、運転を開始する。
【００２５】
このときに、貯水容器部７の底面の内面に水が残っている場合がある。しかし、貯水容器部７の底面全体は、送風路１１の一部を構成するので、貯水容器部７の底面全体の内面に溜まった水を乾かし易いものである。
【００２６】
すなわち、加湿空気清浄運転中に、空気清浄運転に変更した場合に、加湿体部８が、貯水容器部７の底面と少なくとも一部と接触しているので、底面の内面の水を吸い上げる。ここで、加湿体部８によって吸い上げられずに、貯水容器部７の底面の内面に水が水溜りのように残っていた場合でも、送風手段５によって、吸込口１から吸い込まれた空気が、少なくとも貯水容器部７の底面全体における内面へ送風され、貯水容器部７の底面全体の内面に溜まった水を乾かすことができる。更に、加湿空気清浄運転を行い、貯水容器部７内の水が減り、加湿体部８によって吸い上げられずに、貯水容器部７の底面の内面に水が水溜りのように残った場合でも、同様に、送風手段５によって、吸込口１から吸い込まれた空気が、少なくとも貯水容器部７の底面全体における内面へ送風され、貯水容器部７の底面全体の内面に溜まった水を乾かすことができる。また、従来の加湿機能付空気清浄装置と異なり、本実施形態の加湿機能付空気清浄装置は、水タンクを有さない。これにより、水タンクを有する場合に比べ、貯水容器部７の底面全体の内面に溜まった水を乾かし易いものである。
【００２７】
図３は、本発明の実施の形態１の加湿機能付空気清浄装置の加湿手段の断面図である。図３は、本体ケース３における前方側から見た断面図である。
【００２８】
また、加湿体部８は、貯水容器部７内の水に浸漬する加湿体下部分１９と、水面より上方の加湿体上部分２０とからなる。加湿体部８は、加湿体下部分１９の少なくとも一部の端部と貯水容器部７との間には、隙間２１を有するように保持体９によって貯水容器部７に固定される。
【００２９】
具体的には、加湿体部８は、本体ケース３における前面側から見ると、略横長四角形状である。加湿手段４における送風路１１は、本体ケース３における前面側から背面側へ延びる垂直断面形状が、略横長四角形状である。加湿体下部分１９における送風路１１は、貯水容器部７の内面である。この貯水容器部７の内面における側面間の寸法より、本体ケース３における前面側から見た左右方向の加湿体部８の寸法が小さい。加湿体下部分１９の本体ケース３における前面側から見た左端部と貯水容器部７の内面との間に隙間を有し、加湿体下部分の本体ケースにおける前面側から見た右端部と貯水容器部の内面との間に隙間２１を有する。
【００３０】
これにより、加湿空気清浄運転中は、隙間２１には水が溜まっているが、空気清浄運転中には、水が無くなり隙間２１も風路になる。すなわち、加湿体部８周りの送風路１１の風路断面積が増加し、加湿空気清浄運転での加湿量を低下させずに、空気清浄運転時の風量を増加させることができる。この点について詳しく説明すると、加湿体部８は、静止タイプの吸い上げ式なので、加湿体部８の高さ寸法は、水を吸い上げられる高さとなる。この高さが、加湿体部８周りの一般的な送風路１１の高さとなる。ここで、空気清浄運転時の風量を増加させる為に、送風路１１の高さを、加湿体部８が水を吸い上げられる高さより高くする、つまり、加湿体部８の上方に空間を設けることが考えられる。これにより、空気清浄運転の風量は増加する。しかし、加湿空気清浄運転に、加湿体部８の上方に空間を通過する風量が増加し、加湿体部８を通過する風量が減少し、加湿量が低下する。
【００３１】
そこで、加湿体下部分１９の端部と送風路の内面との間の隙間を設けることによって、加湿空気清浄運転での加湿量の低下させずに、空気清浄運転時の風量を増加させることができる。すなわち、加湿体下部分１９の少なくとも一部の端部と貯水容器部７との間の隙間２１には、加湿空気清浄運転中には、水が溜まっているが、空気清浄運転中には、隙間２１も風路になる。結果として、空気清浄運転時だけ、加湿体部８回りの送風路１１の風路断面積が増加し、加湿空気清浄運転での加湿量を低下させずに、空気清浄運転時の風量を増加させることができる。
【００３２】
また、加湿体下部分１９の少なくとも一部の端部と貯水容器部７との間の隙間２１は、加湿体上部分２０の端部と送風路１１の内面との間の隙間２２より大きい。なお、加湿体上部分２０の端部と送風路１１の内面との間の隙間２２とは、本体ケース３に加湿手段４を着脱自在に設けるために必要な空間である。
【００３３】
これにより、加湿体上部分２０の端部と送風路１１の内面との間の隙間２２に流れる風量より、加湿体下部分１９の少なくとも一部の端部と貯水容器部７との間の隙間２１に流れる風量が増加し、結果として、加湿体下部分１９に流れる風量も増加し、加湿体下部分１９が早く乾くと考えられる。
【００３４】
図４は、本発明の実施の形態１の加湿機能付空気清浄装置の加湿手段の斜視図である。図５は、本発明の実施の形態１の加湿機能付空気清浄装置の加湿手段の分解斜視図である。図５は、貯水容器部７から、加湿体部８を装着した保持体９を外した分解斜視図である。図６は、本発明の実施の形態１の加湿機能付空気清浄装置の加湿手段の分解斜視図である。図６は、貯水容器部７、加湿体部８、保持体９を示した分解斜視図である。図７は、本発明の実施の形態１の加湿機能付空気清浄装置の加湿手段の保持体の斜視図である。図７は、保持体９を下方から見た斜視図である。
【００３５】
また、保持体９は、加湿体部８を保持する保持部２３と、貯水容器部７の開口にはまるカーバー部２４とを有している。
【００３６】
カーバー部２４は、略平板形状で、加湿体部８が挿入される第１の開口２５と、注水用の第２の開口２６とを有している。第１の開口２５は、本体ケース３における前後方向が短辺である横長四角形状の開口である。
【００３７】
保持部２３は、上面枠部分２７と、風路ガイド部２８と、２つの支持棒部分２９とを備えている。
【００３８】
上面枠部分２７は、第１の開口２５、および加湿体部８の上方に設けられている。上面枠部分２７は、上から見ると、本体ケース３における前後方向が短辺である横長四角形状で、本体ケース３における前後方向で切った垂直断面形状が、下方が開口した略Ｕ字形状である。
【００３９】
風路ガイド部２８は、本体ケース３における上下方向、および前後方向に延びた２つ板である。風路ガイド部２８は、上面枠部分２７の短辺である両端部とカーバー部２４とを連結する。これらの風路ガイド部２８内を空気が通過する。
【００４０】
支持棒部分２９は、上面枠部分の両短辺近傍の下面から下方へ延び、水平断面形状は、内方が開口した略Ｕ字形状である。加湿体部８は、中心軸方向が上下方向である筒形状で、支持棒部分２９の外方に水平方向へ広げながら装着される。
【００４１】
ここで、支持棒部分２９の上下方向の寸法は、加湿体部８の上下方向の寸法より小さく、支持棒部分２９の上下方向の寸法は、加湿体上部分２０の上下方向の寸法より大きければよい。
【００４２】
これにより、加湿体部８の加湿体上部分２０は、支持棒部分２９の外方に水平方向へ広げながら装着されるので、本体ケース３における左右方向へ広がる。しかし、加湿体下部分１９の一部は、本体ケース３における左右方向へは、支持棒部分２９によって広げられない。結果として、加湿体上部分２０の加湿面積を減少させること無く、加湿体下部分１９の本体ケース３における前面側から見た左端部と貯水容器部７の内面との間に隙間２１と、加湿体下部分１９の本体ケース３における前面側から見た右端部と貯水容器部７の内面との間に隙間２１を大きくすることができる。
【産業上の利用可能性】
【００４３】
本発明によれば、吸込口と吹出口を備えた本体ケースと、前記本体ケース内に設けた空気清浄手段と加湿手段と、前記吸込口から吸い込まれた空気を、送風路により、前記空気清浄手段、前記加湿手段を介して吹出口から吹き出す送風手段とからなり、前記加湿手段は、水を貯水する椀形状の貯水容器部と、前記貯水容器部内の貯水した水に下部が浸漬すると共に、前記貯水容器部の底面と少なくとも一部が接触する加湿体部と、前記加湿体部を保持し、前記貯水容器部に着脱自在な保持体とからなり、前記貯水容器部内の水を貯水しない状態で運転すると浄化した空気を吹き出す空気清浄運転となり、前記貯水容器部内に水を貯水した状態で運転すると、前記加湿体部が前記貯水容器部内の水を吸い上げ、常に浄化および加湿した空気を吹き出す加湿空気清浄運転となることを特徴とし、加湿体部からの臭気の発生を抑制することを目的とするものである。
【００４４】
すなわち、空気清浄運転時には、貯水容器部内の水を貯水しない状態で運転するので、長期間空気清浄運転を行っても、加湿体部からの臭気の発生を抑制することができる。
【００４５】
従って、家庭用や事務所用などの加湿装置として活躍が期待されるものである。
【符号の説明】
【００４６】
１      吸込口
２      吹出口
３      本体ケース
４      加湿手段
５      送風手段
６      空気清浄手段
７      貯水容器部
８      加湿体部
９      保持体
１０      加湿手段装着部
１１      送風路
１２      ケーシング部
１３      モータ部
１４      羽根部
１５      吐出口
１６      吸気口
１７      第１の風路
１８      第２の風路
１９      加湿体下部分
２０      加湿体上部分
２１      隙間
２２      隙間
２３      保持部
２４      カーバー部
２５      第１の開口
２６      第２の開口
２７      上面枠部分
２８      風路ガイド部
２９      支持棒部分
【図１】
0006413074.tif 000002
【図２】
0006413074.tif 000003
【図３】
0006413074.tif 000004
【図４】
0006413074.tif 000005
【図５】
0006413074.tif 000006
【図６】
0006413074.tif 000007
【図７】
0006413074.tif 000008